(57)【要約】【課題】表示装置における各電気光学素子の透過率を発光強度に応じて調整するための構成を簡素化する。【解決手段】表示装置１００は、複数の走査線２０１と複数のデータ線３０１との各交差に配置される複数の電気光学素子４０１を有する液晶装置２０と、液晶装置２０に対して光を照射する複数の発光領域Ｂを有し、各発光領域Ｂは、液晶装置２０の画素領域２４を１以上の電気光学素子４０１毎に区分した複数の単位領域Ａの各々に対応して設けられる照明装置１０と、を備え、単位領域Ａ内の電気光学素子４０１に対応する走査線２０１が選択されたときに、当該電気光学素子４０１に対応するデータ電位生成部３２０の基準電位Ｖｒを、一の単位領域Ａに対応する発光領域Ｂの発光強度ＬＢと複数の発光領域Ｂの各々における発光強度ＬＢのうちの最大発光強度ＬＢＭＡＸとの強度比Iに応じて設定する。【選択図】      図６
2009122308.tif 000002
【特許請求の範囲】
【請求項１】
複数の走査線と複数のデータ線との各交差に配置され、前記データ線からのデータ電位の供給を受けて透過率が変化する複数の電気光学素子を有する表示部と、
前記表示部に対して光を照射する複数の発光領域を有し、前記複数の発光領域の各々は、前記表示部を１以上の前記電気光学素子毎に区分した複数の単位領域の各々に対応して設けられる照明部と、
前記複数の発光領域の各々について、当該発光領域に対応する前記表示部の前記単位領域内の前記電気光学素子に対して階調データにより指定される階調の最高値が高いほど当該発光領域の発光強度が高くなるように発光強度を個別に制御する発光制御部と、
前記複数のデータ線に各々対応して設けられ、階調データに対する前記データ電位を基準電位に応じて生成し、前記走査線が選択されたときに当該走査線に対応する前記電気光学素子に前記データ電位を供給するデータ電位生成部と、
前記複数の単位領域のうち一の単位領域内の前記電気光学素子に対応する前記走査線が選択されたときに、当該電気光学素子に対応する前記データ電位生成部の前記基準電位を、前記一の単位領域に対応する発光領域の発光強度と前記複数の発光領域の各々における発光強度のうちの最大発光強度との強度比に応じて設定する基準電位設定部と、を具備する
表示装置。
【請求項２】
前記基準電位設定部は、前記走査線が延在する方向に配列する単位領域毎に設けられ、
前記各単位領域に対応する前記基準電位設定部は、当該単位領域内の前記電気光学素子に対応するデータ電位生成部に対して基準電位を共通に供給する
請求項１の表示装置。
【請求項３】
前記複数の単位領域は、前記データ線が延在する方向に配列する第１単位領域と第２単位領域とを含み、
前記基準電位設定部は、前記第１単位領域内の各電気光学素子に対応する走査線が選択される期間内と、前記第２単位領域内の各電気光学素子に対応する走査線が選択される期間内とで、前記第１領域および前記第２領域に対応する各データ電位生成部の基準電位を別個に設定する
請求項１又は請求項２の表示装置。
【請求項４】
前記データ電位生成部は、基準電位を分圧した複数の電位を階調データに応じて選択することでデータ電位を生成する
請求項１から請求項３の何れかの表示装置。
【請求項５】
請求項１から請求項４の何れかの表示装置を備える電子機器。
【請求項６】
複数の走査線と複数のデータ線との各交差に配置され、前記データ線からのデータ電位の供給を受けて透過率が変化する複数の電気光学素子を有する表示部と、
前記表示部に対して光を照射する複数の発光領域を有し、前記複数の発光領域の各々は、前記表示部を１以上の前記電気光学素子毎に区分した複数の単位領域の各々に対応して設けられる照明部と、を具備する表示装置の駆動方法であって、
前記複数の発光領域の各々について、当該発光領域に対応する前記表示部の前記単位領域内の前記電気光学素子に対して階調データにより指定される階調の最高値が高いほど発光強度が高くなるように、発光強度を個別に制御し、
前記走査線が選択されたときに、階調データに対する前記データ電位を基準電位に応じて生成し、そのデータ電位を当該走査線に対応する前記電気光学素子に供給し、
複数の単位領域のうち一の単位領域内の前記電気光学素子に対応する前記走査線が選択されたときに、前記一の単位領域に対応する発光領域の発光強度と前記複数の発光領域の各々における発光強度のうちの最大発光強度との強度比に応じて前記一の単位領域内の電気光学素子に供給される基準電位を設定する
表示装置の駆動方法。
【発明の詳細な説明】
【技術分野】
【０００１】
本発明は、液晶などの電気光学素子を利用して画像を表示する技術に関する。
【背景技術】
【０００２】
例えば液晶を用いて画像を表示する表示装置は、複数の液晶素子が行列状に配列された液晶パネルと、液晶パネルの背面側に配置されて液晶パネルを照明する照明装置とを備える。
特許文献１の構成では、照明装置は、液晶パネルに対して光を照射する複数の発光領域を有し、複数の発光領域の各々は、液晶パネルを所定個の液晶素子毎に区分した複数の単位領域の各々に対応して設けられる。特許文献１では照明装置の消費電力を低減するために、複数の発光領域の各々について、当該発光領域に対応する単位領域内の液晶素子の階調データが指定する階調の最高値に合わせて当該発光領域の発光強度を決定している。また、特許文献１では各単位領域内の液晶素子の階調データが各発光領域の発光強度に応じて補正されていた。
【特許文献１】特開２００４-３１７８９５号公報
【発明の開示】
【発明が解決しようとする課題】
【０００３】
しかし、特許文献１の構成では、階調データを補正するために高速動作が可能な大規模な演算回路やデータ変換テーブルが必要となる。これによって、回路規模の増大によるコストアップや回路の消費電力の増加を招くという問題があった。
以上の事情に鑑みて、本発明は各電気光学素子の透過率を発光強度に応じて調整するための構成を簡素化するという課題の解決を目的としている。
【課題を解決するための手段】
【０００４】
以上の課題を解決するために、本発明に係る表示装置は、複数の走査線と複数のデータ線との各交差に配置され、データ線からのデータ電位の供給を受けて透過率が変化する複数の電気光学素子を有する表示部と、表示部に対して光を照射する複数の発光領域を有し、複数の発光領域の各々は、表示部を１以上の電気光学素子毎に区分した複数の単位領域の各々に対応して設けられる照明部と、複数の発光領域の各々について、当該発光領域に対応する表示部の単位領域内の電気光学素子に対して階調データにより指定される階調の最高値が高いほど当該発光領域の発光強度が高くなるように発光強度を個別に制御する発光制御部と、複数のデータ線に各々対応して設けられ、階調データに対するデータ電位を基準電位に応じて生成し、走査線が選択されたときに当該走査線に対応する電気光学素子にデータ電位を供給するデータ電位生成部と、複数の単位領域のうち一の単位領域内の電気光学素子に対応する走査線が選択されたときに、当該電気光学素子に対応するデータ電位生成部の基準電位を、一の単位領域に対応する発光領域の発光強度と複数の発光領域の各々における発光強度のうちの最大発光強度との強度比に応じて設定する基準電位設定部と、を具備する。なお、本発明の表示装置は各種の電子機器に利用される。
【０００５】
この発明によれば、単位領域内の電気光学素子の階調データに対するデータ電位を生成する際に、データ電位を生成するデータ電位生成部の基準電位が強度比に応じて可変に設定されるので、階調データの補正を行う必要が無い。従って、高速動作が可能な大規模な演算回路やデータ変換テーブルなどが不要となり、回路規模の増大によるコストアップや回路の消費電力の増加を抑制できる。
【０００６】
本発明の好適な態様において、基準電位設定部は、走査線が延在する方向に配列する単位領域毎に設けられ、各単位領域に対応する基準電位設定部は、当該単位領域内の電気光学素子に対応するデータ電位生成部に対して基準電位を共通に供給することもできる。以上の態様によれば、データ電位生成部毎に基準電位設定部を設ける必要が無いため、コストが削減される。
【０００７】
また、本発明の好適な態様において、複数の単位領域は、データ線が延在する方向に配列する第１単位領域と第２単位領域とを含み、基準電位設定部は、第１単位領域内の各電気光学素子に対応する走査線が選択される期間内と第２単位領域内の各電気光学素子に対応する走査線が選択される期間内とで、第１単位領域および第２単位領域に対応する各データ電位生成部の基準電位を別個に設定することもできる。
【０００８】
本発明は、表示装置を駆動する方法としても特定される。本発明に係る駆動方法は、複数の走査線と複数のデータ線との各交差に配置され、データ線からのデータ電位の供給を受けて透過率が変化する複数の電気光学素子を有する表示部と、表示部に対して光を照射する複数の発光領域を有し、複数の発光領域の各々は、表示部を１以上の電気光学素子毎に区分した複数の単位領域の各々に対応して設けられる照明部と、を具備する表示装置の駆動方法であって、複数の発光領域の各々について、当該発光領域に対応する表示部の単位領域内の電気光学素子に対して階調データにより指定される階調の最高値が高いほど発光強度が高くなるように発光強度を個別に制御し、走査線が選択されたときに、階調データに対するデータ電位を基準電位に応じて生成し、そのデータ電位を当該走査線に対応する電気光学素子に供給し、複数の単位領域のうち一の単位領域内の電気光学素子に対応する走査線が選択されたときに、一の単位領域に対応する発光領域の発光強度と複数の発光領域の各々における発光強度のうちの最大発光強度との強度比に応じて一の単位領域内の電気光学素子に供給される基準電位を設定することを特徴とする。以上の駆動方法によっても本発明の表示装置と同様の効果が得られる。
【発明を実施するための最良の形態】
【０００９】
図1は、本発明の実施の形態に係る表示装置１００の構成を示すブロック図である。同図に示すように、表示装置１００は、照明装置１０と液晶装置２０と制御装置５０とを具備する。図１においては照明装置１０と液晶装置２０とが便宜的に離間して図示されているが、実際には照明装置１０と液晶装置２０は近接する。
【００１０】
液晶装置２０は、相互に対向する第１基板２１と第２基板２２とを具備する。第１基板と第２基板２２との間隔には液晶（図示略）が封止される。第２基板２２のうち液晶との対向面には、画像の各画素に対応する複数の画素電極２３が配列される。第１基板２１と第２基板２２とで挟持された液晶は、各画素電極２３と第１基板２１の表面の対向電極(図示略)との電位差に応じて配向が変化する。
【００１１】
図１に示すように、液晶装置２０のうち実際に画像が表示される矩形状の画素領域（画素電極２３が配列する領域）２４は、所定個の画素電極２３毎に複数の領域に区分される。さらに詳述すると、画素領域２４は、Ｙ方向に隣接する２個の領域Ｇ（Ｇ１、Ｇ２）に区分される。領域Ｇ１は、Ｘ方向に沿って配列する３個の単位領域Ａ（Ａ１，Ａ２，Ａ３）に区分される。同様に、領域Ｇ２は、Ｘ方向に沿って配列する３個の単位領域Ａ（Ａ４，Ａ５，Ａ６）に区分される。本形態では、画素領域２４内には６個の単位領域Ａ（Ａ１，Ａ２，Ａ３，Ａ４，Ａ５，Ａ６）がＸ方向およびＹ方向に配列される。各単位領域Ａは寸法が共通する矩形状の領域である。各単位領域Ａ内には複数の画素電極２３がＸ方向およびＹ方向に沿って行列状に配列される。
【００１２】
照明装置１０は、液晶装置２０の背面側に配置されて液晶装置２０を照明する。照明装置１０は、各々が液晶装置２０の各単位領域Ａに対応する６個の発光領域Ｂ（Ｂ１，Ｂ２，Ｂ３，Ｂ４，Ｂ５，Ｂ６）で構成される。図１に示すように、各発光領域Ｂと当該発光領域Ｂに対応する単位領域Ａとは、画素領域２４から垂直な方向から見て重なり合う。例えば、発光領域Ｂ１は単位領域Ａ１と重なり合い、発光領域Ｂ４は単位領域Ａ４と重なり合うといった具合である。後述するように、各発光領域Ｂの発光強度は個別に制御される。
【００１３】
図１の制御装置５０は、照明装置１０および液晶装置２０を制御する回路である。制御装置５０は、照明装置１０を制御する照明制御回路５２と液晶装置２０を制御する液晶制御回路５４とを具備する。なお、制御装置５０の実装の態様は任意である。例えば、照明制御回路５２を照明装置１０に実装するとともに液晶制御回路５４を液晶装置２０に実装した構成や、照明制御回路５２と液晶制御回路５４とを単一の集積回路に搭載した構成が採用される。
【００１４】
図２は、液晶装置２０の電気的な構成を示すブロック図である。液晶装置２０は、画素領域２４と、走査線駆動回路２００と、データ線駆動回路３００とを含む。画素領域２４には、図３に示すＸ方向と平行にｍ本の走査線２０１が延在する。また、Ｘ方向と直交するＹ方向と平行にｎ本のデータ線３０１が延在する。そして、走査線２０１とデータ線３０１との各交差に対応して画素回路４００が設けられる。
【００１５】
走査線駆動回路２００は、ｍ本の走査線２０１の各々に出力される走査信号Ｙｉ（ｉ＝１〜ｍ）を水平走査期間毎に順番にアクティブレベル（ハイレベル）に設定することで各走査線２０１を順次に選択する。データ線駆動回路３００は、液晶制御回路５４から供給される各画素回路４００の階調データＤに基づいてデータ電位Ｘｊ（ｊ＝１〜ｎ）を生成して各データ線３０１に出力する。第ｉ行目の走査線２０１が選択される水平走査期間において、第ｊ列目のデータ線３０１に供給されるデータ電位Ｘｊは、第ｉ行に属する第ｊ列目の画素回路４００の階調データＤに応じて設定される。なお、画素領域２４における各画素回路４００の１フレーム毎の階調データＤは、フレームメモリ（図示略）から液晶制御回路５４に供給される。
【００１６】
図３は、画素回路４００の回路図である。同図においては、ｉ行目の走査線２０１とｊ列目のデータ線３０１との交差に対応する画素回路４００が代表的に図示されている。図３に示すように、画素回路４００は、電気光学素子４０１と薄膜トランジスタ（以下「ＴＦＴ（Thin  Film  Transistor）」という）４０３とを含む。電気光学素子４０１は、間隔をあけて対向する画素電極２３および対向電極２７と両者間の液晶２５とで構成される液晶素子である。ＴＦＴ４０３は、画素電極２３とデータ線３０１との間に介在して両者間の導通を制御する。ＴＦＴ４０３のゲートは走査線３０１に接続される。従ってｉ行目の走査線２０１が選択されると、ｉ行目の各画素回路４００のＴＦＴ４０３がオン状態となり、当該画素回路４００の画素電極２３にはデータ線３０１からデータ電位Ｘｊが供給される。これによって、当該画素回路４００の電気光学素子４０１に電圧Ｖｄが印加される。図４に示すように、電気光学素子４０１に印加される電圧Ｖｄの絶対値が大きいほど電気光学素子４０１の透過率（照明装置１０から電気光学素子４０１に照射される光のうち観察側に透過する光量の割合）は大きい。
【００１７】
次に、照明装置１０の各発光領域Ｂ（Ｂ１〜Ｂ６）における発光強度の設定について説明する。照明制御回路５２は、各発光領域Ｂについて、当該発光領域Ｂに対応する単位領域Ａ内の電気光学素子４０１に対して階調データＤにより指定される階調の最高値が高いほど当該発光領域Ｂの発光強度が高くなるように各バックライト１２の発光強度を個別に制御する。
例えば、画素が最も明るい階調を１６／１６、最も暗い階調を１／１６とし、１／１６から１６／１６までの１６段階の階調の何れかを階調データＤが指定する場合において、ある単位領域Ａ内の電気光学素子４０１に対して階調データＤにより指定される階調の最高値が１６／１６のときは、当該単位領域Ａに対応する発光領域Ｂの発光強度はＬＢＭＡＸに設定される。単位領域Ａ１内の電気光学素子４０１に対して階調データＤにより指定される階調の最高値が１４／１６であれば、単位領域Ａ１に対応する発光領域Ｂ１の発光強度ＬＢ１は、（１４／１６）×ＬＢＭＡＸに設定される。一方、単位領域Ａ２内の電気光学素子４０１に対して階調データＤにより指定される階調の最高値が７／１６であれば、単位領域Ａ２に対応する発光領域Ｂ２の発光強度ＬＢ２は、（７／１６）×ＬＢＭＡＸに設定される。すなわち、単位領域Ａ内の電気光学素子４０１に対して階調データＤにより指定される階調の最高値に比例して当該単位領域Ａに対応する発光領域Ｂの発光強度は高くなる。
【００１８】
単位領域Ａ内の電気光学素子４０１から観察側へ透過する光の強度は、以下の式で表すことができる。
Ｌ＝Ｔ×ＬＢ・・・（１）
Ｌは単位領域Ａ内の電気光学素子４０１から観察側へ透過する光の強度を示し、Ｔは当該電気光学素子４０１の透過率を示し、ＬＢは当該単位領域Ａに対応する発光領域Ｂの発光強度を示す。
【００１９】
いま、データ線駆動回路３００が各単位領域Ａ内の電気光学素子４０１の階調データＤに対するデータ電位を生成する際に、各単位領域Ａに対応する各発光領域Ｂ間の発光強度比を何ら考慮せずに階調データＤに応じたデータ電位を生成するという態様（以下「対比例」という）を想定する。対比例において、階調データＤが指定する階調の最高値が１６／１６である単位領域Ａｘと階調データＤが指定する階調の最高値が８／１６である単位領域Ａｙとに着目する。単位領域Ａｘに対応する発光領域Ｂｘの発光強度ＬＢはＬＢＭＡＸに設定され、単位領域Ａｙに対応する発光領域Ｂｙの発光強度ＬＢは（８／１６）×ＬＢＭＡＸ（＝ＬＢＭＡＸ／２）に設定される。
図５は、電気光学素子４０１の階調データＤと電気光学素子４０１から観察側へ透過する光の強度Ｌとの関係を単位領域ＡｘおよびＡｙについて示す図である。図５に示すように、単位領域Ａｘ内の電気光学素子４０１の階調データＤが１６／１６のときに当該電気光学素子４０１から観察側へ透過する光の強度Ｌを便宜的に１．０とする。
対比例においては、単位領域ＡｘおよびＡｙ内の電気光学素子４０１の階調データＤが共に８／１６である場合、各々の電気光学素子４０１の階調データＤ（８／１６）に対して生成されるデータ電位Ｘｊは等しく、各電気光学素子４０１に印加される電圧Ｖｄは等しい。従って、各々の電気光学素子４０１の透過率Ｔも等しくなる。
一方、単位領域Ａｘに対応する発光領域Ｂｘの発光強度ＬＢは、単位領域Ａｙに対応する発光領域Ｂｙの発光強度ＬＢの２倍である。従って、図５に示すように、単位領域ＡｘおよびＡｙ内の電気光学素子４０１の階調データＤが共に８／１６であっても、単位領域Ａｘ内の電気光学素子４０１から観察側へ透過する光の強度Ｌ（Ｌ＝０．５）は、単位領域Ａｙ内の電気光学素子４０１から観察側へ透過する光の強度Ｌ（Ｌ＝０．２５）の２倍となる。
【００２０】
そこで、上記従来技術においては、各単位領域Ａ内の電気光学素子４０１の階調データＤが同じである場合は、各単位領域Ａに対応する発光領域Ｂの発光強度ＬＢに拘わらず各電気光学素子４０１から観察側へ透過する光の強度Ｌが一致するように、各単位領域Ａ内の電気光学素子４０１の階調データＤについて各単位領域Ａに対応する各発光領域Ｂ間の発光強度比に応じた補正を行っていた。例えば、上記の場合であれば、単位領域Ａｙ内の電気光学素子４０１の階調データＤに、発光領域Ｂｙと発光領域Ｂｘとの発光強度比２を乗じて補正するという具合である。このような補正を行うと、単位領域ＡｘおよびＡｙ内の電気光学素子４０１の階調データＤが同じでも、単位領域Ａｙ内の電気光学素子４０１の当該階調データＤに対するデータ電位は、単位領域Ａｘ内の電気光学素子４０１の当該階調データＤに対するデータ電位Ｘｊの２倍となり、その透過率Ｔも２倍となる。これによって、発光強度ＬＢの不足分を補填することができる。
例えば単位領域Ａｙ内の電気光学素子４０１の階調データＤが８／１６の場合、図５の矢印で示すように、単位領域Ａｙ内の電気光学素子４０１から観察側へ透過する光の強度Ｌを、上記対比例における０．２５から０．５へと増加させることができる。従って、各単位領域Ａ内の電気光学素子４０１の階調データＤが同じである場合には、各電気光学素子４０１から観察側へ透過する光の強度が一致する。
しかしながら、各単位領域Ａ内の電気光学素子４０１の階調データＤについて上記のような補正を行うためには、高速動作が可能な大規模な演算器（例えば乗算器）やデータ変換テーブルが必要となるため、回路規模の増大によるコストアップや回路の消費電力の増加を招くという問題がある。
【００２１】
以上の問題を解決するために、本形態におけるデータ線駆動回路３００は、各単位領域Ａ内の電気光学素子４０１の階調データＤに対するデータ電位を生成する際に、階調データＤの補正を行うことなく、各単位領域Ａに対応する各発光領域Ｂ間の発光強度比に応じてデータ電位を補正するという構成を採る。以下にその具体的な構成について説明する。
【００２２】
図６は、データ線駆動回路３００の構成を示すブロック図である。データ線駆動回路３００は、分配回路３１０と、ｎ本のデータ線３０１に各々対応して設けられるｎ個のデータ電位生成部３２０と、走査線２０１が延在する方向（図１に示すＸ方向）に配列された単位領域Ａ毎に設けられた基準電位設定部３３０（３３０ａ〜３３０ｃ）とを含む。図６に示すように、各単位領域Ａに対応する基準電位設定部３３０（３３０ａ〜３３０ｃ）は、当該単位領域Ａ内の電気光学素子４０１に対応する各データ電位生成部３２０に対して基準電位Ｖｒを共通に供給する。
【００２３】
分配回路３１０は、液晶制御回路５４からシリアルに供給される階調データＤを電気光学素子４０１の列数に相当するｎ系統に分配し、分配後のｎ系統の階調データｄｊ（ｊ＝１〜ｎ）を水平走査期間の開始と共にパラレルに出力する。
【００２４】
第ｊ段目のデータ電位生成部３２０は、基準電位設定部３３０から供給される基準電位Ｖｒを分圧した複数の電位を階調データｄｊに応じて選択することでデータ電位Ｘｊを生成して第ｊ列目のデータ線３０１に出力する。
図７は、ｊ段目のデータ電位生成部３２０の概略構成を示すブロック図である。図７に示すように、データ電位生成部３２０は、Ｄ／Ａ変換器３０と出力制御部３２とを含む。Ｄ／Ａ変換器３０には、複数のビットｂ（ｂ０〜ｂ２）で構成される階調データｄが分配回路３１０から入力される。図７に示すように、ビットｂ０はスイッチＳｗ０に供給され、ビットｂ１はスイッチＳｗ１に供給され、ビットｂ２はスイッチＳｗ２に供給される。スイッチＳｗ（Ｓｗ０〜Ｓｗ２）は供給されるビットｂ（ｂ０〜ｂ２）の値に応じて切り替わる。スイッチＳｗ（Ｓｗ０〜Ｓｗ２）に供給されるビットｂが「１」のときはスイッチＳｗはオンとなり、ビットｂが「０」のときはスイッチＳｗはオフとなる。階調データｄに応じてスイッチＳｗ（Ｓｗ０〜Ｓｗ２）が切り替わり、基準電位Ｖｒを分圧した複数の電位（０〜７Ｖｒ／８）のうちの何れかを選択することで電位Ｖｏｕｔが生成される。電位Ｖｏｕｔと各ビットｂ（ｂ０〜ｂ２）との関係は、以下に示す式（２）で表すことができる。
Ｖｏｕｔ＝（−Ｖｒ／８）×（２０×ｂ０＋２１×ｂ１＋２２×ｂ２）・・・（２）
【００２５】
上記式（２）から理解されるように、階調データｄと出力電位Ｖｏｕｔとの関係は基準電位設定部３３０から供給される基準電位Ｖｒに応じて変化する。階調データｄの値が同じであっても、基準電位Ｖｒの値が異なれば出力電位Ｖｏｕｔの値も異なる。より具体的には、出力電位Ｖｏｕｔの値は基準電位Ｖｒの値に比例する。出力電位Ｖｏｕｔの値に比例して、その出力電位Ｖｏｕｔが供給される電気光学素子４０１の透過率Ｔは大きくなる。
【００２６】
図７に示すように、Ｄ／Ａ変換器３０から出力された電位Ｖｏｕｔは出力制御部３２に供給される。出力制御部３２においては、予め定められた電位（例えば対向電極２７の電位）を基準として、所定期間毎に出力電位Ｖｏｕｔを正極性及び負極性の一方から他方に交互に切り替える。例えば、水平同期や垂直同期で出力電位Ｖｏｕｔの極性を反転させることでデータ電位Ｘｊを生成する。
【００２７】
次に、データ電位生成部３２０に供給される基準電位Ｖｒの設定について説明する。基準電位設定部３３０は、照明制御回路５２から供給される強度比Iに応じた基準電位Ｖｒを生成する回路（例えば電圧出力型のＤ／Ａ変換器）である。基準電位設定部３３０は、複数の単位領域Ａのうち一の単位領域Ａ内の電気光学素子４０１に対応する走査線２０１が選択される期間内に、当該電気光学素子４０１に対応するデータ電位生成部３２０の基準電位Vｒを強度比Iに応じて設定および保持する。強度比Iは、一の単位領域Ａに対応する発光領域Ｂの発光強度ＬＢと複数の発光領域Ｂの各々における発光強度ＬＢのうちの最大発光強度ＬＢＭＡＸとの比である（I＝ＬＢＭＡＸ／ＬＢ）。
【００２８】
例えば強度比Iが１の場合にデータ電位生成部３２０に供給される基準電位Ｖｒの値をＶｒ１とすると、強度比Iが３／２の場合にデータ電位生成部３２０に供給される基準電位Ｖｒの値は３Ｖｒ１／２に設定される。すなわち、ある単位領域Ａに対応する発光領域Ｂの発光強度ＬＢが複数の発光領域Ｂの各々における発光強度ＬＢの最大発光強度ＬＢＭＡＸに比べて小さい場合であっても、当該単位領域Ａに対応するデータ電位生成部３２０の基準電位Ｖｒの値は発光強度ＬＢの不足分を補填できる程度に大きく設定される。これによって、各単位領域Ａ内の電気光学素子４０１の階調データｄが同じである場合には、各発光領域Ｂの発光強度ＬＢに係わらず各単位領域Ａ内の電気光学素子４０１から観察側へ透過する光の強度Ｌが一致するようにデータ電位が補正される。
【００２９】
また、基準電位設定部３３０について更に詳述すると、本形態では、単位領域Ａ１及びＡ４に対応する基準電位設定部３３０ａと、単位領域Ａ２及びＡ５に対応する基準電位設定部３３０ｂと、単位領域Ａ３及びＡ６に対応する基準電位設定部３３０ｃとがそれぞれ設けられる。データ線３０１が延在する方向（図１に示すＹ方向）に配列された第１単位領域Ａと第２単位領域Ａ（例えば単位領域Ａ１と単位領域Ａ４）とで強度比Iが異なる場合は、第１単位領域Ａ内の電気光学素子４０１に対応する走査線２０１が選択される期間内に対応する基準電位設定部３３０で設定される基準電位Ｖｒの値と、第２単位領域Ａ内の電気光学素子４０１に対応する走査線２０１が選択される期間内に当該基準電位設定部３３０で設定される基準電位Ｖｒの値は異なる。そのため、基準電位設定部３３０は、第１単位領域A内の電気光学素子４０１に対応する走査線２０１が選択される期間内と、第２単位領域Ａ内の電気光学素子４０１に対応する走査線２０１が選択される期間内とで、各単位領域Ａ内の電気光学素子４０１に対応するデータ電位生成部３２０に供給する基準電位Ｖｒの値を各単位領域Ａの強度比Iに応じて設定する。
【００３０】
本実施形態の構成によれば、各単位領域Ａ内の電気光学素子４０１に対応するデータ電位生成部３２０において階調データｄに対するデータ電位を生成する際に、階調データｄの補正を行う必要が無い。従って、高速動作が可能な大規模な演算器やデータ変換テーブルなどが不要となり、回路規模の増大によるコストアップや回路の消費電力の増加を抑制できる。
【００３１】
＜変形例＞
以上の形態には様々な変形を加えることができる。具体的な変形の態様を例示すれば以下のとおりである。なお、以下の例示から任意に選択された２以上の態様は組み合わせ可能である。
【００３２】
（１）変形例１
上述の実施形態においては、画素領域２４は６個の単位領域Ａ（Ａ１，Ａ２，Ａ３，Ａ４，Ａ５，Ａ６）で構成されているが、単位領域Ａの数は任意に変更が可能である。また、各単位領域Ａに対応する発光領域Ｂの数も単位領域Ａの数に応じて任意に変更される。
【００３３】
（２）変形例２
上述の実施形態においては、各単位領域Ａ内には複数の電気光学素子４０１が行列状に配列されているが、各単位領域Ａは、画素領域２４を１以上の電気光学素子４０１毎に区分するものであればよく、種々の変更が可能である。例えば、各単位領域Ａ内の電気光学素子４０１の数が各単位領域Ａ毎に異なるという態様とすることもできる。
【００３４】
（３）変形例３
上述の実施形態においては、走査線２０１が延在する方向（図１に示すＸ方向）に配列された単位領域Ａ毎に基準電位設定部３３０を設けたが、例えば各データ電位生成部３２０毎に基準電位設定部３３０を設けるという態様であってもよい。ただし、基準電位設定部３３０が走査線２０１が延在する方向（図１に示すＸ方向）に配列された単位領域Ａ毎に設けられるという態様によれば、基準電位設定部３３０がデータ電位生成部３２０毎に設けられるという態様に比べて基準電位設定部３３０の設置数を減らすことができるため、コストが削減されるというメリットがある。
【００３５】
（４）変形例４
データ電位生成部３２０の構成は図７の例示に限定されない。例えば、データ電位生成部３２０のＤ／Ａ変換器３０を図８に示す逆ラダー型のＤ／Ａ変換器３０で構成することもできる。図８の構成であっても、Ｄ／Ａ変換器３０から出力される電位Ｖｏｕｔと各ビットｂとの関係は、上記式（２）で表すことができる。
【００３６】
また、Ｄ／Ａ変換器３０を図９に示す電圧ポテンショ型のＤ／Ａ変換器３０で構成することもできる。図９の構成においては、入力される複数のビットｂ（ｂ０〜ｂ２）に対応したＳｗ（Ｓｗ０〜Ｓｗ７）が１つだけオンとなるようにデコーダが構成され、対応する電位（０〜７Ｖｒ／８）が出力される。さらに、Ｄ／Ａ変換器３０を図１０に示す重み付き抵抗型Ｄ／Ａ変換器で構成することもできる。図１０の構成においては、Ｄ／Ａ変換器３０から出力される電位Ｖｏｕｔと各ビットｂとの関係は、以下に示す式（３）で表すことができる。
Ｖｏｕｔ＝（−Ｖｒ／４）×（２０×ｂ０＋２１×ｂ１＋２２×ｂ２）・・・（３）
以上に説明したように、データ電位生成部３２０は、基準電位設定部３３０から供給される基準電位Ｖｒを分圧した複数の電位を階調データｄｊ（ｊ＝１〜ｎ）に応じて選択することでデータ電位を生成するものであればよい。
【００３７】
＜電子機器＞
次に、本発明に係る表示装置を利用した電子機器について説明する。図１１ないし図１３には、以上に説明した何れかの形態に係る表示装置１００を採用した電子機器の形態が図示されている。
【００３８】
図１１は、表示装置１００を採用したモバイル型のパーソナルコンピュータの構成を示す斜視図である。パーソナルコンピュータ２０００は、各種の画像を表示する表示装置１００と、電源スイッチ２００１やキーボード２００２が設置された本体部２０１０とを具備する。
【００３９】
図１２は、表示装置１００を適用した携帯電話機の構成を示す斜視図である。携帯電話機３０００は、複数の操作ボタン３００１およびスクロールボタン３００２と、各種の画像を表示する表示装置１００とを備える。スクロールボタン３００２を操作することによって、表示装置１００に表示される画面がスクロールされる。
【００４０】
図１３は、表示装置１００を適用した携帯情報端末（ＰＤＡ：Personal Digital Assistants）の構成を示す斜視図である。携帯情報端末４０００は、複数の操作ボタン４００１および電源スイッチ４００２と、各種の画像を表示する表示装置１００とを備える。電源スイッチ４００２を操作すると、住所録やスケジュール帳といった様々な情報が表示装置１００に表示される。
【００４１】
なお、本発明に係る表示装置が適用される電子機器としては、図１１から図１３に例示した機器のほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。
【図面の簡単な説明】
【００４２】
【図１】本発明に係る表示装置の構成を示すブロック図である。
【図２】本発明に係る液晶装置の電気的な構成を示すブロック図である。
【図３】液晶装置における画素回路の構成を示す回路図である。
【図４】電気光学素子の印加電圧と透過率との関係を示す図である。
【図５】電気光学素子の階調データと電気光学素子から観察側へ透過する光の強度Ｌとの関係を単位領域Ａｘおよび単位領域Ａｙについて示す図である。
【図６】本発明に係るデータ線駆動回路の構成を示すブロック図である。
【図７】データ線駆動回路に係るデータ電位生成部の構成を示すブロック図である。
【図８】変形例４に係るデータ電位生成部におけるＤ／Ａ変換器の構成（逆ラダー型）を示すブロック図である。
【図９】変形例４に係るデータ電位生成部におけるＤ／Ａ変換器の別の態様（電圧ポテンショ型）を示すブロック図である。
【図１０】変形例４に係るデータ電位生成部におけるＤ／Ａ変換器のさらに別の態様（重み付き抵抗型）を示すブロック図である。
【図１１】本発明に係る電子機器の形態（パーソナルコンピュータ）を示す斜視図である。
【図１２】本発明に係る電子機器の形態（携帯電話機）を示す斜視図である。
【図１３】本発明に係る電子機器の形態（携帯情報端末）を示す斜視図である。
【符号の説明】
【００４３】
１００……表示装置、１０……照明装置、Ｂ（Ｂ１，Ｂ２，Ｂ３，Ｂ４，Ｂ５，Ｂ６）……発光領域、２０……液晶装置、Ａ（Ａ１，Ａ２，Ａ３，Ａ４，Ａ５，Ａ６）……単位領域、２３……画素電極、２４……画素領域、２５……液晶、３０……ＤＡ変換器、５０……制御装置、５２……照明制御装置、５４……液晶制御回路、２００……走査線駆動回路、２０１……走査線、３００……データ線駆動回路、３０１……データ線、３２０……データ電位生成部、３３０……基準電位設定部、４００……画素回路、４０１……電気光学素子、４０３……ＴＦＴ、Ｖｒ……基準電位。
【図１】
2009122308.tif 000003
【図２】
2009122308.tif 000004
【図３】
2009122308.tif 000005
【図４】
2009122308.tif 000006
【図５】
2009122308.tif 000007
【図６】
2009122308.tif 000008
【図７】
2009122308.tif 000009
【図８】
2009122308.tif 000010
【図９】
2009122308.tif 000011
【図１０】
2009122308.tif 000012
【図１１】
2009122308.tif 000013
【図１２】
2009122308.tif 000014
【図１３】
2009122308.tif 000015